(57)【要約】【課題】コストの上昇を招くことなくより簡便に火炎検出装置の検査ができるようにする。【解決手段】第１光源１０２は、基台１１１の上に固定されて火炎検出装置１２１の検査のための第１検査光を、火炎検出装置１２１の光導入部に照射する。第２光源１０３は、基台１１１の上に配置されて火炎検出装置１２１の検査のための第２検査光を照射する。第１検査光は、第２検査光より低い光量とされている。ガイド機構１０４は、第１光源１０２と検査機器配置部１０１との間に、第２光源１０３を出し入れ可能とする。【選択図】  図１Ａ
2020020734.tif 000002
【特許請求の範囲】
【請求項１】
所定の波長域の紫外線を検出する紫外線検出管と、前記紫外線検出管が検出する検出光を導入する光導入部に配置されて前記検出光を遮るためのシャッタとを備える火炎検出装置の検査装置であって、
基台の上に固定されて前記火炎検出装置を載置する検査機器配置部と、
前記基台の上に固定されて前記火炎検出装置の検査のための第１検査光を前記光導入部に照射する第１光源と、
前記基台の上に配置されて前記火炎検出装置の検査のための第２検査光を照射する第２光源と、
前記第２検査光を前記光導入部に照射するために、前記第１光源と前記検査機器配置部との間に前記第２光源を出し入れ可能とするガイド機構と
を備え、
前記第１検査光は、前記第２検査光より低い光量とされている
ことを特徴とする火炎検出装置の検査装置。
【請求項２】
請求項１記載の火炎検出装置の検査装置において、
前記光導入部に対する迷光を遮断するための遮光筒を備えることを特徴とする火炎検出装置の検査装置。
【請求項３】
請求項１または２記載の火炎検出装置の検査装置において、
前記第１検査光の光路を開閉する第１シャッタを備えることを特徴とする火炎検出装置の検査装置。
【請求項４】
請求項１〜３のいずれか１項に記載の火炎検出装置の検査装置において、
前記第２検査光の光路を開閉する第２シャッタを備えることを特徴とする火炎検出装置の検査装置。
【請求項５】
請求項１〜４のいずれか１項に記載の火炎検出装置の検査装置において、
前記第１光源から出射される前記第１検査光の拡散を防止するための第１外筒を備えることを特徴とする火炎検出装置の検査装置。
【請求項６】
請求項１〜５のいずれか１項に記載の火炎検出装置の検査装置において、
前記第２光源から出射される前記第２検査光の拡散を防止するための第２外筒を備えることを特徴とする火炎検出装置の検査装置。
【請求項７】
請求項１〜６のいずれか１項に記載の火炎検出装置の検査装置において、
前記第１検査光の光量を調整するための第１フィルタを備えることを特徴とする火炎検出装置の検査装置。
【請求項８】
請求項１〜７のいずれか１項に記載の火炎検出装置の検査装置において、
前記第２検査光の光量を調整するための第２フィルタを備えることを特徴とする火炎検出装置の検査装置。
【請求項９】
請求項１〜８のいずれか１項に記載の火炎検出装置の検査装置において、
前記基台の上に形成され、前記第１光源、前記第２光源、前記検査機器配置部、前記ガイド機構を収容する暗箱を備えることを特徴とする火炎検出装置の検査装置。
【発明の詳細な説明】
【技術分野】
【０００１】
本発明は、火炎検出装置を検査する火炎検出装置の検査装置に関する。
【背景技術】
【０００２】
燃焼炉、乾燥炉、およびボイラなどの燃焼装置は、燃焼室内の燃焼を制御するための燃焼制御装置として、バーナを点火するための点火装置、点火装置を介したバーナの点火制御、バーナの燃焼監視、およびバーナへの燃料の供給と停止を制御する安全遮断弁の制御を行うためのバーナ制御装置などを備えている。
【０００３】
この中で、バーナ制御装置は、バーナの燃焼を監視するための火炎検出装置を備えている。火炎検出装置は、燃焼装置におけるバーナの火炎の有無を監視するものであり、紫外線検出管（以下、ＵＶチューブと言う）と、自己診断用のシャッタとを備えている。ＵＶチューブは、ガラス管内に設けられた一対の電極間に高電圧を印加した状態で、火炎から放射される紫外線が入射すると、電極間で放電が発生する放電管である。火炎による紫外線が検出されると、ＵＶチューブから放電電流が得られる。
【０００４】
例えば、火炎から放射される紫外線が入射されるとＵＶチューブから放電パルスが発生するので、この１回の放電パルスをトリガとしてタイマなどを一定時間ＯＮとし、ＯＮ信号が連続して得られると、火炎有りとして火炎検出信号を出力する。
【０００５】
シャッタは、ＵＶチューブの故障を自己診断するために設けられている（特許文献１，特許文献２参照）。例えば、火炎が有ってＵＶチューブから放電パルスが得られている状態でシャッタを閉じたとき放電パルスが無くなるか、あるいは火炎が無い状態でシャッタを開けたとき、放電パルスが得られるかなどの診断を行うことにより、ＵＶチューブの異常を知ることができる。
【先行技術文献】
【特許文献】
【０００６】
【特許文献１】特許第２６５９４９２号公報
【特許文献２】特開平０５−０２６４３３号公報
【発明の概要】
【発明が解決しようとする課題】
【０００７】
ところで、上述した火炎検出装置の製品検査では、当然ながら、シャッタおよびＵＶチューブの検査を実施している。シャッタは、例えば、開閉機構が、与えた開閉信号に対して円滑に開閉するか否か、閉信号に対して光を遮断しているか否かを検査する。また、ＵＶチューブは、例えば設定されている波長の紫外線に対して、規定されている感度が得られているか否かを検査する。
【０００８】
上述したシャッタの検査では、大きな光量の検査光を照射し、開閉機構の閉信号による制御状態で、ＵＶチューブから放電電流が得られるか否かを確認する。閉信号による制御状態では、シャッタが正常であれば、閉じている状態でＵＶチューブから放電電流が得られないはずである。従って、閉信号による制御状態で、ＵＶチューブから放電電流が得られた場合、シャッタに異常があるものと判断できる。なお、この検査では、ＵＶチューブには異常が無いことが前提となる。また、ＵＶチューブの検査では、小さな光量の検査光（紫外光）を照射している。
【０００９】
上述したシャッタの検査では、例えば、シャッタの閉状態においてわずかな隙間が存在する異常の場合、小さな光量では、この状態が判断できない場合がある。このため、大きな光量で検査を実施している。一方、ＵＶチューブの検査では、光量が大きいと正確な感度の検査ができないため、小さな光量で実施している。これらの光量の差は３０００：１程度になる。このため、シャッタの検査と、ＵＶチューブの検査とは、各々異なる光源を用いている。
【００１０】
また、検出波長が異なる２種類のＵＶチューブがあり、これらが対応する火炎検出装置に正しく装着されているか否かを判定する検査もある。この検査では、異なる波長の２つの光源を用いることになる。
【００１１】
上述したように、従来の火炎検出装置の検査では、２つの異なる光源による２つの検査装置を用いることになり、検査が煩雑になるという問題があった。また、２種類のＵＶチューブに対する検査では、分光器を用いることもできるが、分光器は高額であり、検査のためのコストが上昇するという問題があった。
【００１２】
本発明は、以上のような問題点を解消するためになされたものであり、コストの上昇を招くことなくより簡便に火炎検出装置の検査ができるようにすることを目的とする。
【課題を解決するための手段】
【００１３】
本発明に係る火炎検出装置の検査装置は、所定の波長域の紫外線を検出する紫外線検出管と、紫外線検出管が検出する検出光を導入する光導入部に配置されて検出光を遮るためのシャッタとを備える火炎検出装置の検査装置であって、基台の上に固定されて火炎検出装置を載置する検査機器配置部と、基台の上に固定されて火炎検出装置の検査のための第１検査光を光導入部に照射する第１光源と、基台の上に配置されて火炎検出装置の検査のための第２検査光を照射する第２光源と、第２検査光を光導入部に照射するために、第１光源と検査機器配置部との間に第２光源を出し入れ可能とするガイド機構とを備え、第１検査光は、第２検査光より低い光量とされている。
【００１４】
上記火炎検出装置の検査装置において、光導入部に対する迷光を遮断するための遮光筒を備えるようにするとよい。
【００１５】
上記検査装置において、第１検査光の光路を開閉する第１シャッタを備えるようにするとよい。同様に、第２検査光の光路を開閉する第２シャッタを備えるようにしてもよい。
【００１６】
上記火炎検出装置の検査装置において、第１光源から出射される第１検査光の拡散を防止するための第１外筒を備えるようにするとよい。同様に、第２光源から出射される第２検査光の拡散を防止するための第２外筒を備えるようにするとよい。
【００１７】
上記火炎検出装置の検査装置において、第１検査光の光量を調整するための第１フィルタを備えるようにしてもよい。同様に、第２検査光の光量を調整するための第２フィルタを備えるようにしてもよい。
【００１８】
上記火炎検出装置の検査装置において、基台の上に形成され、第１光源、第２光源、検査機器配置部、ガイド機構を収容する暗箱を備えるようにしてもよい。
【発明の効果】
【００１９】
以上説明したように、本発明によれば、第１光源と第２光源を設け、第１光源と検査機器配置部との間に第２光源を出し入れ可能とするガイド機構を備えるようにしたので、コストの上昇を招くことなくより簡便に火炎検出装置の検査ができるという優れた効果が得られる。
【図面の簡単な説明】
【００２０】
【図１Ａ】図１Ａは、本発明の実施の形態における検査装置の構成を示す平面図である。
【図１Ｂ】図１Ｂは、本発明の実施の形態における検査装置の構成を示す側面図である。
【図２】図２は、本発明の実施の形態における検査装置の構成を示す平面図である。
【発明を実施するための形態】
【００２１】
以下、本発明の実施の形態おける火炎検出装置の検査装置について図１Ａ，図１Ｂを参照して説明する。この検査装置は、検査機器配置部１０１、第１光源１０２、第２光源１０３、ガイド機構１０４を備える。検査対象となる火炎検出装置１２１は、所定の波長域の紫外線を検出する紫外線検出管１２２と、紫外線検出管（ＵＶチューブ）１２２が検出する検出光を導入する光導入部に配置されて検出光を遮るためのシャッタ１２３とを備える。シャッタ１２３の外側部分が、火炎検出装置１２１の光導入部となる。
【００２２】
検査機器配置部１０１は、検査対象の火炎検出装置１２１を載置する台であり、基台１１１の上に固定されている。第１光源１０２は、基台１１１の上に固定されて火炎検出装置１２１の検査のための第１検査光を、火炎検出装置１２１の光導入部に照射する。第１光源１０２は、例えば、支持部１１３により基台１１１の上に支持・固定されている。第１光源１０２が照射する第１検査光の光路上に、火炎検出装置１２１の光導入部が配置されるように、検査機器配置部１０１の上に火炎検出装置１２１が載置される。
【００２３】
第２光源１０３は、基台１１１の上に配置されて火炎検出装置１２１の検査のための第２検査光を照射する。第１検査光は、第２検査光より低い光量とされている。例えば、第１検査光の光量は、第２検査光の光量の１／３０００程度とされている。
【００２４】
ガイド機構１０４は、第１光源１０２と検査機器配置部１０１との間に、第２光源１０３を出し入れ可能とする。ガイド機構１０４は、例えば、レールやレールの上で第２光源１０３を移動可能に支持する移動機構を備えるよく知られた搬送装置から構成されている。ガイド機構１０４により、第２光源１０３を移動することで、第１光源１０２の第１検査光による第１検査状態（図１Ａ）と、第２光源１０３の第２検査光による第２検査状態（図２）とを入れ替える。ガイド機構１０４は、例えば、支持台１１４により基台１１１の上に支持・固定されている。
【００２５】
第１検査状態では、図１Ａに示すように、第１光源１０２と検査機器配置部１０１との間の光路上に、第２光源１０３がない状態とする。この状態では、第１検査光の光路上に、火炎検出装置１２１の光導入部が配置された状態となる。一方、第２検査状態では、第１光源１０２と検査機器配置部１０１との間の光路上の検査位置に、ガイド機構１０４により第２光源１０３を移動させて配置し、図２に示すように、第２検査光の光路上に、火炎検出装置１２１の光導入部が配置される状態とする。
【００２６】
上述したように、実施の形態における検査装置によれば、ガイド機構１０４により、第２光源１０３を検査位置に出し入れするので、２つの検査装置を必要とせず、コストの上昇を招くことなくより簡便に火炎検出装置の検査ができるようになる。
【００２７】
なお、光源に用いる紫外線ランプは、一般には、通電直後には所期の性能が得られず、所定の光量などに安定するまでに、一定の時間を要する。このため、第１検査光や第２検査光のオンオフは、紫外線ランプに対する電源のオンオフで行うことは、現実的ではない。第１検査光および第２検査光のオンオフは、第１シャッタ１０６および第２シャッタ１０７により行えばよい。第１シャッタ１０６は、第１検査光の光路を開閉する。第２シャッタ１０７は、第２検査光の光路を開閉する。
【００２８】
なお、第１光源１０２、第２光源１０３は、例えば、よく知られた紫外線ランプを用いた光源である。例えば、第１光源１０２は、第１検査光の光量を調整するための第１フィルタ（不図示）を備える。第１フィルタにより、用いられている紫外線ランプの光量を、所定の値に調整して第１検査光とする。また、第２光源１０３も、第２検査光の光量を調整するための第２フィルタ（不図示）を備えるようにしてもよい。第２フィルタにより、用いられている紫外線ランプの光量を、所定の値に調整して第２検査光とする。各々のフィルタを適宜に設定することで、例えば、同一の紫外線ランプを、第１光源１０２、第２光源１０３の両者に適用することが可能となる。第１フィルタ，第２フィルタは、例えば、よく知られたフロスト型拡散板（シグマ光機株式会社製）と、ＮＤフィルタとを組み合わせて用いればよい。
【００２９】
ところで、検査において、第１検査光の光路の光軸方向以外より、火炎検出装置１２１の光導入部に光（迷光）が入射すると、正確な検査の実施が阻害されることになる。このため、光導入部に対する迷光を遮断するための遮光筒１０５を備えるようにしてもよい。遮光筒１０５は、例えば、火炎検出装置１２１の光導入部の前段部に配置して用いればよい。遮光筒１０５は、例えば、円筒形状とされ、支持部１１５により基台１１１の上に支持・固定されている。
【００３０】
また、第１光源１０２から出射される第１検査光の拡散を防止するための第１外筒１０８、および第２光源１０３から出射される第２検査光の拡散を防止するための第２外筒１０９を備えるようにしてもよい。第１外筒１０８は、例えば円筒形状とされ、第１光源１０２の第１検査光の出射側に、光軸と第１外筒１０８の中心軸とが一致する状態に取り付ければよい。同様に、第２外筒１０９は、例えば円筒形状とされ、第２光源１０３の第２検査光の出射側に、光軸と第２外筒１０９の中心軸とが一致する状態に取り付ければよい。
【００３１】
各光源からの光の拡散は、前述した迷光の発生源となる可能性がある。これに対し、上述したように、第１外筒１０８、第２外筒１０９を設け、各光源からの光の拡散を防止することで、前述した迷光の発生が抑制できるようになる。
【００３２】
上述したように、第１外筒１０８を設ける場合、第１シャッタ１０６は、例えば、第１外筒１０８の先端部に設ければよい。また、第２外筒１０９を設ける場合、第２シャッタ１０７は、例えば、第２外筒１０９の先端部に設ければよい。
【００３３】
また、基台１１１の上に暗箱１１２を配置し、暗箱１１２の内部に、第１光源１０２、第２光源１０３、検査機器配置部１０１、ガイド機構１０４が収容されるようにしてもよい。このようにすることで、火炎検出装置１２１の光導入部に対する不要な迷光の入射が、より防げるようになる。暗箱１１２の内側側面は、黒色のマット仕上げとし、光の反射などが防止できる構成とする。なお、暗箱ではなく、暗室内に検査装置を配置して用いるようにしてもよい。
【００３４】
以上に説明したように、本発明によれば、第１光源と第２光源を設け、第１光源と検査機器配置部との間に第２光源を出し入れ可能とするガイド機構を備えるようにしたので、コストの上昇を招くことなくより簡便に火炎検出装置の検査ができるようになる。
【００３５】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００３６】
１０１…検査機器配置部、１０２…第１光源、１０３…第２光源、１０４…ガイド機構、１０５…遮光筒、１０６…第１シャッタ、１０７…第２シャッタ、１０８…第１外筒、１０９…第２外筒、１１１…基台、１１２…暗箱、１１３…支持部、１１４…支持台、１１５…支持部、１２１…火炎検出装置、１２２…紫外線検出管、１２３…シャッタ。
【図１Ａ】
2020020734.tif 000003
【図１Ｂ】
2020020734.tif 000004
【図２】
2020020734.tif 000005